(57)【要約】【課題】本発明は、複数の指袋と該指袋と繋がった胴部を有する指袋付き筒状編地において、手や足指を装着した際にフィット感を高める編成方法と、その編成により得られる編地を提供することを目的とする。【解決手段】横編機を用い、複数の指袋と該指袋と繋がった胴部を有する指袋付き筒状編地を編成する際、切り欠き領域を一方の針床に形成した複数の指袋を形成する。その切り欠き領域に対し、上下反転する位置に胴部の切り欠き領域がくるようにマチ部を編成することで、指袋が胴部から曲って繋がる形状として胴部の一面側が形成される。さらに胴部の他面側を形成する。【選択図】図１
2012031529.tif 000002
【特許請求の範囲】
【請求項１】
少なくとも前後一対の針床を有する横編機を用い、複数の指袋と該指袋と繋がった胴部を有する指袋付き筒状編地の編成方法において、
指袋の胴部側で、指袋の一面側における略編幅中心の編目を基準として一方の針床で開口するようＣ字状に折り返し編成を行い、編針に係止する折り返した両端の編目の間隔を指袋の胴部側端部で最大の開口となる切り欠き領域を備えた複数の指袋を形成する工程（Ｓ１）と、
複数の指袋において、隣接する指袋の境界における指袋の一面側の編目を基準となるよう、一方の針床を用いて該隣接する各指袋の略編幅中心の編目間で往復編成を行い、胴部の一面側としての編地を形成する工程（Ｓ２）と、      
複数の指袋の最も離れる両端の各指袋において、該各指袋の切り欠き領域の離れた側の端部に隣接する編目を両端として、一方の針床で開口するようＣ字状に折り返し編成を行い、胴部の他面側を形成する工程（Ｓ３）を含むことを特徴とする指袋付き筒状編地の編成方法。
【請求項２】
前記工程（Ｓ２）と前記工程（Ｓ３）の間に、他方の針床側に係止する各指袋の編目に対し、往復編成を繰り返して増目することを特徴とする請求項１に記載の指袋付き筒状編地の編成方法。
【請求項３】
横編機を用いて編成され、複数の指袋と該指袋と繋がった胴部を有する指袋付き筒状編地において、複数の各指袋と該指袋と繋がった胴部の境界で、筒状編地の指袋と繋がった胴部の一面側の編目数が他面側に対して少なく、指袋が胴部から曲って繋がっており、曲っている方向側の各指袋間には、マチを形成していることを特徴とする指袋付き筒状編地。
【発明の詳細な説明】
【技術分野】
【０００１】
本発明は、複数の指袋と該指袋と繋がった胴部を有する指袋付き筒状編地の編成方法およびその編地に関する。
【背景技術】
【０００２】
指袋付き筒状編地としては、手袋や５本指靴下などを挙げることができる。横編機では、通常、各指袋を形成し、続いて胴部を形成しながら指袋を接合し、胴部（踵部）、手足挿入部などを形成していく。手袋と５本指靴下の形成では、手や足の形状により、踵の有無や親指の接続位置を変更するなど、一部編成内容が異なるものの、装着する際に、よりフィット感の高い製品が望まれている。
【０００３】
５本指靴下の形成において、各指袋を同じコース位置の胴部に接合するのではなく、３本胴や４本胴を設けて接合する位置を変えることで、実際の足指に合った位置に指股を形成し、フィット感を高める編成が示されている(特許文献１参照)。
【先行技術文献】
【特許文献】
【０００４】
【特許文献１】特開２０００−２３９９５０号公報
【発明の概要】
【発明が解決しようとする課題】
【０００５】
本発明の目的は、指股の位置を変える特許文献１などとは異なり、手足の指袋が少し曲がった状態で胴部に接合する編成を行い、実際の手足の形状に近づけることで、フィット感を高める編成方法と、その編成により得られる編地を提供することである。
【課題を解決するための手段】
【０００６】
本発明は、少なくとも前後一対の針床を有する横編機を用い、複数の指袋と該指袋と繋がった胴部を有する指袋付き筒状編地の編成方法において、指袋の胴部側で、指袋の一面側における略編幅中心の編目を基準として一方の針床で開口するようＣ字状に折り返し編成を行い、編針に係止する折り返した両端の編目の間隔を指袋の胴部側端部で最大の開口となる切り欠き領域を備えた複数の指袋を形成する工程（Ｓ１）と、複数の指袋において、隣接する指袋の境界における指袋の一面側の編目を基準となるよう、一方の針床を用いて該隣接する各指袋の略編幅中心の編目間で往復編成を行い、胴部の一面側としての編地を形成する工程（Ｓ２）と、複数の指袋の最も離れる両端の各指袋において、該各指袋の切り欠き領域の離れた側の端部に隣接する編目を両端として、一方の針床で開口するようＣ字状に折り返し編成を行い、胴部の他面側を形成する工程（Ｓ３）を含むことを特徴とする。
【０００７】
また本発明では、前記工程（Ｓ２）と前記工程（Ｓ３）の間に、他方の針床側に係止する各指袋の編目に対し、往復編成を繰り返して増目することを特徴とする。
【０００８】
さらに本発明における指袋付き筒状編地は、横編機を用いて編成され、複数の指袋と該指袋と繋がった胴部を有する指袋付き筒状編地において、複数の各指袋と該指袋と繋がった胴部の境界で、筒状編地の指袋と繋がった胴部の一面側の編目数が他面側に対して少なく、指袋が胴部から曲って繋がっており、曲っている方向側の各指袋間には、マチを形成していることを特徴とする。
【発明の効果】
【０００９】
本発明では、指袋と胴部の境界において、胴部と指袋の形状が曲った状態で接合することができ、手足の指などの形状に合った形となり、手足の指などを挿入する際にも突っ張りが減少し、フィット感が高くなる。
【００１０】
また本発明では、各指袋と胴部の他面側の境界に増目を行うことで、胴部に対して指袋が曲がった状態に繋がる際、その曲がり具合や突っ張り度合を調整できる。
【００１１】
また、本発明による編地は、胴部に対して指袋が曲がった状態で接合して、手足の指に合った形状を備え、曲がっている方向側の各指袋間に奥行き方向に作用する編地が形成された、フィット性が高い指袋付き筒状編地である。
【図面の簡単な説明】
【００１２】
【図１】本発明の実施例に示す５本指靴下１の図である。
【図２】本発明の実施例に示す５本指靴下１の編成工程の一部を模式的に示す図である。
【図３】本発明の実施例に示す５本指靴下１を構成する指袋２における編成図である。
【図４】本発明の実施例に示す５本指靴下１を構成するマチ部３における編成図である。
【図５】本発明の実施例に示す５本指靴下１を構成する増目部４における編成図である。
【図６】本発明の実施例に示す５本指靴下１を構成する胴部５における足甲側５Ｕを形成しながら、最も離れる両端の各指袋を接合する編成図である。
【発明を実施するための形態】
【００１３】
以下、本発明の実施例として、５本指靴下１の説明を行う。編成に使用する横編機は、前後一対の針床を備えた２枚ベッド横編機であり、後針床が前針床に対してラッキング可能で、針床の上方に複数の給糸口を有するものである。編成図は、説明の便宜上、針数を実際の編成よりも少なくしている。
【実施例】
【００１４】
図１は、本発明による５本指靴下１を示す図である。本実施例で編成される５本指靴下１はすべて天竺で編成する。図で示すように、指袋２は胴部５である足裏側５Ｄより、下方に向けて曲がった状態で繋がっている。５本指靴下１は、親指２Ａから順次、人差し指２Ｂ、中指２Ｃ、薬指２Ｄ、最後に小指２Ｅを形成し、それぞれを胴部５と接合する。５本の指袋が胴部５に接合されると、５本胴として胴部５を周回編成し、続いて引き返し編成による踵部６の形成、リブ組織を編成して端部の編目に解れ止め処理をした足挿入部８の形成に至る。この一連の編成は、公知の方法で行うため、実施例では、本発明により曲がった状態となる指袋２と胴部５の接合と、各指袋２間の足裏側５Ｄに形成するマチ部３の編成方法に絞り、説明を行う。
【００１５】
親指２Ａに連続した足甲側５Ｕに増目部４Ａを形成し、他の指袋２にも同様に増目部４（４Ｂ〜４Ｅ）を形成する。親指２Ａの突っ張りを軽減するとともに、曲がる角度を調整する。さらに、親指２Ａ〜小指２Ｅの隣り合う指間の足裏側５Ｄにそれぞれ４つのマチ部３（３Ａ〜３Ｄ）を三角形状に形成する。親指２Ａと胴部５の足裏側５Ｄの境界部には、図２で示す親指２Ａの切り欠き領域７Ａの一辺Ｘと、胴部５の胴部甲側編地５Ａの一辺Ｙの接合を示す接合ラインＸＹと、そのラインに隣接してマチ部３と同様に指を挿入した際に指袋２に伸びを与える増目部Ｚ１が位置している。
【００１６】
図２は、本発明の実施例に示す５本指靴下１の編成工程の一部を模式的に示す図である。紙面下方より上方に向けて、指袋２（２Ａ〜２Ｅ）を、胴部５の足裏側５Ｄにマチ部３（３Ａ〜３Ｄ）を、胴部５の足甲側５Ｕに増目部４（４Ａ〜４Ｅ）を、胴部５のマチ部３と指袋２の編地を除いた胴部甲側編地５Ａを順に形成する。また、図中、他図に存在する符号は同一のものを示す。各指袋２は、胴部５との接合で消えてしまう切り欠き領域７（７Ａ，７Ｂ，７Ｃ，７Ｄ，７Ｅ）を有し、その切り欠き領域７は足裏側に位置する。また、同じく足裏側に位置するマチ部３Ｄの一辺１３は、薬指２Ｄの切り欠き領域７Ｄの他辺１６と、マチ部３Ｄの他辺１４は、小指２Ｅの切り欠き領域７Ｅの一辺１１と接合する。
【００１７】
小指２Ｅの切り欠き領域７Ｅの他辺１２は、胴部甲側編地５Ａの端部である他辺１５と接合し、親指２Ａの切り欠き領域７Ａの一辺Ｘは、胴部甲側編地５Ａの端部である一辺Ｙと接合する。５本の指袋に形成された切り欠き領域７の両辺は、各マチ部３Ａ〜３Ｄを形成した際に編成を行わない部分となる図中点線で示す胴部５の切り欠き領域１７（１７Ａ，１７Ｂ，１７Ｃ，１７Ｄ，１７Ｅ）と、上下対称の形で各マチ部３Ａ〜３Ｄの両辺と接合される。この際、切り欠き領域（７，１７）が無くなり、胴部５に対して各指袋２が曲がった状態で接合される。踵部６のように筒同士の接合となり、切り欠き領域（７，１７）の形状により、筒が曲がる角度を調整できる。なお、各指袋２を曲がった形で胴部５に接合する役割の三角形状の編地（マチ部３）は、手足を挿入する際の余裕となる。
【００１８】
図３は、図１で示す５本指靴下１の指袋２の編成図である。５本指靴下のため指袋は５つ必要であり、図３で示す指袋の形成は親指２Ａのみであるが、残りの４本についても同様の編成を行う。編成図では、後述の編成図も含め、図中左側の数字は編成ステップ（Ｓ）を示し、左右方向の矢印は編成方向を示し、ＦＢは前針床を、ＢＢは後針床を示す。大文字のＡ〜ＬはＦＢの編針を、小文字のａ〜ｌはＢＢの編針を示す。また、丸印はその編成ステップで形成される編目を、Ｖ印はタック目を示す。尚、その編成ステップでの編成に関係せず、編針に係止されたままの編目については図示を省略する。
【００１９】
図３で示す編成ステップＳ１〜Ｓ６について説明する。Ｓ１は、５本指靴下１の指袋２の編出し後の筒状編成を示し、指袋の一面側としてのＦＢで足裏側、ＢＢで足甲側を編成する。給糸口２０はキャリッジ（不図示）により左方向に移動して、ＦＢの編針Ｆ〜Ａで編目を形成し、右方向に移動して、ＢＢの編針ａ〜ｆで編目を形成する。指袋の長さにより、Ｓ１の編成を適宜繰り返す。Ｓ２では、左方向にＦＢの編針Ｆ〜編針Ｄで編目を形成する。Ｓ３では、右方向に向きを替え、ＦＢの編針Ｄにタック編成を行い、ＦＢの編針Ｅ，Ｆで編目を形成する。さらに、左方向にＢＢの編針ｆ〜編針ａで編目を形成し、右方向にＦＢの編針Ａ〜編針Ｃで編目を形成する。つまり、親指２Ａの編幅中心を基準に足裏側で開口する引き返し編成を行っている。
【００２０】
Ｓ４では、左方向にＦＢの編針Ｃにタック編成を行い、編針Ｂ，Ａで編目を形成する。さらに、右方向にＢＢの編針ａ〜編針ｆで編目を形成し、左方向にＦＢの編針Ｆ，Ｅで編目を形成する。Ｓ５では、右方向にＦＢの編針Ｅにタック編成を行い、編針Ｆで編目を形成する。さらに、左方向にＢＢの編針ｆ〜編針ａで編目を形成し、右方向にＦＢの編針Ａ，Ｂで編目を形成する。以降、Ｓ４とＳ５と同様にタック目を形成しながらＦＢの針床に切り欠き領域７を設け、Ｃ字状の編成を繰り返してＳ６に至る。Ｓ６では、ＦＢの編針Ａ〜編針Ｆに編目が徐々に少なくなることで、最大の開口となるＶ字状の切り欠き領域７がタック目で形成され、足裏側５Ｄに曲がる指袋２Ａを形成している。足裏側５Ｄは、開口している分だけ足甲側５Ｕに比べて編目が少ない。残りの４本に対しても順次同様の編成を行い、指袋２を完成する。
【００２１】
図４は、図１で示す５本指靴下１を構成するマチ部３における編成図である。マチ部３は、図２に示すように各指袋２の境界部（指股）を基準として三角形状に形成し、胴部５の一面側としての足裏側の一部として、各指袋２の切り欠き領域７と接合する。図４で示す編成ステップＳ０〜Ｓ７について説明する。Ｓ０は、完成した指袋２として切り欠き領域７を備えた薬指２Ｄと小指２Ｅを示している。
【００２２】
またＳ１では、薬指２Ｄと小指２Ｅの隣接する前後それぞれの編目同士を重ねる。つまり、ＦＢの編針Ｆと編針Ｇ、ＢＢの編針ｆと編針ｇの各編針に係止する編目同士が重なるように、小指２Ｅの編目を、左方向に１針分、移動して股重ねを行う。給糸口２０を引き続き用いた周回編成では、ＦＢの編針Ａ〜編針ＬとＢＢの編針ｋ〜編針ａに編目を形成する。尚、図４では薬指２Ｄと小指２Ｅに対しての説明の為、編針Ａ，ａを左端とするが、実際にはその左側の編針に、親指２Ａ、人差し指２Ｂ、中指２Ｃの編目も同様に係止している。（不図示）Ｓ２では、給糸口２０を引き続き用い、各指袋の切り欠き領域７と同じようにＦＢの編針Ｆで右方向にタック編成を行う。隣接する２Ｄと２Ｅの各指袋間の境界を基準とする。
【００２３】
Ｓ３では、左方向にＦＢの編針Ｇの編目にタック編成を行い、編針Ｆに編目を形成する。このタック編成で、ＦＢの編針Ｇの編目と小指２Ｅの切り欠き領域７Ｅの一辺１１の編目が接合する。さらにＳ４では、右方向にＦＢの編針Ｅの編目にタック編成を行い、編針Ｆ，Ｇに編目を形成する。このタック編成で、ＦＢの編針Ｅの編目と薬指２Ｄの切り欠き領域７Ｄの他辺１６の編目が接合する。Ｓ５では、左方向にＦＢの編針Ｈの編目にタック編成を行い、編針Ｇ〜編針Ｅに編目を形成する。このタック編成で、ＦＢの編針Ｈの編目と小指２Ｅの切り欠き領域７Ｅの一辺１１の編目が接合する。
【００２４】
さらにＳ６では、右方向にＦＢの編針Ｄの編目にタック編成を行い、編針Ｅ〜編針Ｈに編目を形成する。このタック編成で、ＦＢの編針Ｄの編目と薬指２Ｄの切り欠き領域７Ｄの他辺１６の編目が接合する。Ｓ７では、左方向にＦＢの編針Ｉの編目にタック編成を行い、編針Ｈ〜編針Ａに編目を形成する。このタック編成で、ＦＢの編針Ｉの編目と小指２Ｅの切り欠き領域７Ｅの一辺１１の編目が接合し、編針Ｄまでの編目の形成により、マチ部３Ｄが完成する。Ｓ２で、隣接する２Ｄと２Ｅの各指袋間の境界として編針Ｆに係止する編目を基準とした後、各指袋の編幅中心となる編針Ｄ，Ｉに係止する編目間を往復編成するとともに、各指袋を順次接合している。続く編針Ｃ〜編針Ａの編目の形成は、続いてマチ部３Ｃの形成を行う為の給糸口２０の移動を兼ねている。他のマチ部３の形成は、Ｓ２〜Ｓ７の工程と同様に、親指２Ａと人差し指２Ｂ間、人差し指２Ｂと中指２Ｃ間、中指２Ｃと薬指２Ｄ間で行う。そして、各指袋２と胴部５の接合と足裏側５Ｄの編地形成を行う。
【００２５】
図５は、５本指靴下１を構成する増目部４における編成図である。図２に示すように、増目部４の各増目は、各指袋２の胴部５の足甲側５Ｕとの境界の位置に略半円状に形成する。図５で示す編成ステップＳ０〜Ｓ６について説明する。ここでも、連続して給糸口２０を使う。Ｓ０は、親指２Ａと人差し指２Ｂの指袋２を示す。図３で説明した指袋２Ａを形成する同じステップを行い、人差し指２Ｂも完成した状態である。Ｓ１は、ＦＢの編針Ｉ〜編針Ａに編目を形成した状態を示す。編針Ｉ〜編針Ｄには、マチ部３Ａの最終の編目列として、編針Ｃ〜編針Ａでは、増目部４Ａを形成する位置に移動する為に、編目を形成している。つまり、図４で説明したマチ部３Ｄを形成する同じステップでマチ部３Ａが完成した状態である。Ｓ０とＳ１において、親指２Ａと人差し指２Ｂの指間を基準に、足裏側に胴部側の一面としてのマチ部３Ａを形成している。
【００２６】
Ｓ２は、右方向にＢＢの編針ａにタック編成を行い、編針ｂ〜編針ｅに編目を形成する。Ｓ３では、左方向にＢＢの編針ｆにタック編成を行い、編針ｅ〜編針ｂに編目を形成する。Ｓ４は、右方向にＢＢの編針ｂにタック編成を行い、編針ｂ〜編針ｆに編目を形成して増目部４Ａを完成する。続いてＢＢの編針ｇにタック編成を行い、編針ｈ〜編針ｌに編目を形成して増目部４Ｂの形成を開始する。Ｓ５では、左方向にＢＢの編針ｌにタック編成を行い、編針ｋ〜編針ｈに編目を形成する。Ｓ６は、右方向にＢＢの編針ｈにタック編成を行い、編針ｉ〜編針ｌに編目を形成して増目部４Ｂを完成する。増目部４Ａ，４Ｂは、共に指袋が曲がる際の突っ張りをなくす為、親指２Ａと人差し指２Ｂの位置に合うように、指袋２が曲がる方向と逆側の足甲側５Ｕに形成する。また、増目部４Ａ，４Ｂと同様に、中指２Ｃ〜小指２Ｅに対する増目部４Ｃ〜４Ｅの形成を行う。
【００２７】
図６は、５本指靴下１を構成する胴部５における足甲側５Ｕを形成しながら、最も離れる両端の各指袋を接合する編成図である。図６で示す編成ステップＳ０〜Ｓ５について説明する。Ｓ０は、増目部４の形成後の状態を示す。後針床ＢＢ側には左から順に増目部４Ａ，４Ｂ，４Ｃ，４Ｄ，４Ｅが位置している。Ｓ１では、給糸口２０を用い、左方向にＦＢの編針Ｔに編目を形成する。Ｓ２は、右方向にＦＢの編針Ｓにタック編成を行い、編針Ｔに編目を形成する。続いて左方向に他面側としてのＢＢの編針ｔ〜編針ａに編目を形成する。さらに、右方向にＦＢの編針Ａに編目を形成する。つまり、前針床ＦＢ側が開口するようにＣ字状に折り返し編成を行う。この編成により、図２に示す最も離れている指袋である親指２Ａと小指２Ｅの各切り欠き領域７の離れた側の編目を順次接合する。胴部甲側編地５Ａの端部である他辺１５に対してＦＢの編針Ｓに行ったタック編成で、小指２Ｅの切り欠き領域７Ｅの他辺１２と接合する。
【００２８】
Ｓ３は、左方向にＦＢの編針Ｂにタック編成を行い、編針Ａに編目を形成する。続いて右方向にＢＢの編針ａ〜編針ｔに編目を形成する。さらに、左方向にＦＢの編針Ｔ，Ｓに編目を形成する。ＦＢで順次編目を増やしながら（Ｚ１，Ｚ２）、図２に示す胴部甲側編地５Ａの端部である一辺Ｙに対してＦＢの編針Ｂに行ったタック編成で、親指２Ａの切り欠き領域７Ａの一辺Ｘと接合する。ＦＢの編針Ｃ〜編針Ｒには、増目部３Ａ〜３Ｄの各編目が胴部の一面側として係止されている。
【００２９】
Ｓ４は、右方向にＦＢの編針Ｒにタック編成を行い、編針Ｓ，Ｔに編目を形成する。続いて左方向にＢＢの編針ｔ〜編針ａに編目を形成する。さらに、右方向にＦＢの編針Ａ〜編針Ｑに編目を形成する。後針床ＢＢでは、胴部５の足甲側５Ｕを形成しながら、図面左側の前針床ＦＢでは親指２Ａの接合を、図面右側の前針床ＦＢでは小指２Ｅとの接合を行っている。Ｓ５は、給糸口２０を左方向に移動した後、右方向にＦＢの編針Ｒ〜編針Ｔに編目を形成する。続いて左方向にＢＢの編針ｔ〜編針ａに編目を形成し、胴部５に関して筒状に編成する。筒状の編成を所望するだけ繰り返して胴部５を形成し、公知の靴下の編成方法で胴部５に続く踵部６の形成と、足挿入口８を形成し、５本指靴下１を完成する。
【００３０】
尚、本実施例では、５本指靴下１は右足用を示しているが、指袋の位置などを左右対称にして左足用も形成できる。さらに足袋などに適用しても良いし、指袋の先端を開口したり、手袋やミトンに適用しても良い。また本実施例では全ての指に適用したが、手袋などでは親指を除く指に対して適用するなど、部分的な適用でも良い。さらにまた、編成する方向は指袋２から足挿入口８であるが、逆方向にしても良く、使用する横編機は４枚ベッドでも良い。本発明の主旨に逸脱しない範囲において、実施が可能である。
【符号の説明】
【００３１】
１                            ５本指靴下
２                            指袋
３                            マチ部
４Ａ，４Ｂ，４Ｃ，４Ｄ，４Ｅ  増目部
６                            踵部
２０                          給糸口
２Ａ                          親指
【図１】
2012031529.tif 000003
【図２】
2012031529.tif 000004
【図３】
2012031529.tif 000005
【図４】
2012031529.tif 000006
【図５】
2012031529.tif 000007
【図６】
2012031529.tif 000008